(57)【要約】【課題】  無線通信装置において、回路基板の配線数の増大に対応できるよう、上下筐体の回路基板間に設けるフレキシブル配線板の幅を広くでき、かつ、薄型化を図ることが可能なアンテナ構造を提供する。【解決手段】  無線通信装置は、ヒンジ部により互いに回動可能に結合される上部筐体及び下部筐体と、第１の電気部品を搭載する第１の回路基板と、第２の電気部品を搭載する第２の回路基板と、第１の回路基板と第２の回路基板を互いに電気的に接続する接続部と、下部筐体内に内蔵されるアンテナとを備える。第２の回路基板からアンテナに動作電流を供給するためのアンテナ給電部を、第２の回路基板のヒンジ部側の端部における中央位置より、ヒンジ部軸方向に沿って接続部に対し離れた位置に設け、かつ、アンテナの給電端子とグラウンド端子を、アンテナの基部よりヒンジ部軸方向に延伸させることによりアンテナ給電部と接触させて配設する。【選択図】  図６
2005303542.tif 000002
【特許請求の範囲】
【請求項１】
ヒンジ部により互いに回動可能に結合される上部筐体及び下部筐体と、前記上部筐体内に収容され、第１の電気部品を搭載する第１の回路基板と、前記下部筐体内に収容され、第２の電気部品を搭載する第２の回路基板と、前記第１の回路基板と前記第２の回路基板を互いに電気的に接続する接続部と、前記下部筐体内に内蔵されるアンテナとを備える無線通信装置であって、
前記第２の回路基板から前記アンテナに動作電流を供給するためのアンテナ給電部を、前記第２の回路基板の前記ヒンジ部側の端部における中央位置より、前記ヒンジ部軸方向に沿って前記接続部に対し離れた位置に設け、かつ、前記アンテナの給電端子とグラウンド端子を、前記アンテナの基部より前記軸方向に延伸させることにより前記アンテナ給電部と接触させて配設することを特徴とする無線通信装置。
【請求項２】
前記アンテナは、良導電性の金属片を用いて構成され、前記ヒンジ部の前記軸方向に垂直な前記下部筐体の中心線に関し左右非対称に形成されることを特徴とする請求項１記載の無線通信装置。
【請求項３】
前記接続部は、中央部の巻回箇所を中心にして、前記第１の回路基板の裏面から前記第２の回路基板の表面へまたがって配設されるフレキシブル配線板を用いることを特徴とする請求項１記載の無線通信装置。
【請求項４】
前記第１の回路基板は少なくとも表示器を含む前記第１の電気部品を搭載し、前記第２の回路基板は少なくともキー操作部を含む前記第２の電気部品を搭載することを特徴とする請求項１記載の無線通信装置。
【請求項５】
前記アンテナの前記基部を、前記下部筐体の中心線に関し、前記接続部と反対方向にずらした位置へ移動して、前記ずらした位置の前記基部から、前記給電端子と前記グラウンド端子とを前記軸方向に延伸させて前記アンテナ給電部と接触させることを特徴とする請求項２記載の無線通信装置。
【発明の詳細な説明】
【技術分野】
【０００１】
本発明は、筐体内部に内蔵されるアンテナを備え、上部筐体と下部筐体とをヒンジ部により互いに回動可能に結合した、折り畳み式の無線通信装置に関する。
【背景技術】
【０００２】
携帯電話機の構造の一種である折り畳み式のものは、上部筐体と下部筐体をヒンジ部で互いに回動可能なように結合しており、開閉自在な機構を有するものである。この折り畳み式の携帯電話機は、上部筐体に大型の表示画面を備えることができ、開いて使用するときの利便性とともに、閉じた状態でのコンパクトな形状が携帯に便利であるという利点を有する。
【０００３】
従来の折り畳み式の携帯電話機では、アンテナとして、下部筐体に配設された突起型アンテナや、上部筐体に配設された突起型アンテナが用いられている。これらの突起型アンテナは、一般にヘリカルアンテナや伸縮式モノポールアンテナが用いられており、アンテナ部が筐体から突起しているので、携帯電話機を手で保持した使用状態でアンテナ利得を高くできるという利点を有する。
【０００４】
しかしながら、上記の突起型アンテナでは、ポケットに挿入していた携帯電話機を取り出すときに突起したアンテナ部が引っかかるなど使用に際してアンテナ部の突起構造が邪魔になるという問題があった。
【０００５】
これに対して、折り畳み式携帯電話機の筐体内部に内蔵されるアンテナとしては、ストリップラインアンテナや、ヒンジ部内蔵型アンテナが知られている。また、コイル状アンテナやマイクロストリップラインアンテナ等の、所謂フリップ部内蔵型のアンテナも知られている。上記の内蔵型アンテナによれば、筐体から突起した部分がないので、突起型アンテナのような問題は発生しない。
【０００６】
例えば、特許文献１に示されるように、折り畳み式の携帯電話機において、ヒンジ部内蔵型アンテナを用いることが知られている。この内蔵型アンテナは、上部筐体と下部筐体を結合するヒンジ部に隣接したフレキシブル配線板の上方を覆う位置に配置される。
【０００７】
図１及び図２は、従来の携帯電話機の、ヒンジ部を中心に開いた状態における、表面側及び裏面側の概略構成をそれぞれ示す分解斜視図である。
【０００８】
図１及び図２に示すように、従来の折り畳み式の携帯電話機１は、表面に液晶表示器などの表示器を取り付けるための上部ケース２及び上部カバー１１と、表面にテンキー、各種機能キーなどを含むキー操作部を取り付けるための下部カバー４及び下部ケース１２と、上部ケース２及び下部カバー４を互いに回動可能に枢着するヒンジ部３及びヒンジ部５とを備えている。
【０００９】
この携帯電話機１を組み立てることにより、上部ケース２と上部カバー１１が携帯電話機１の上部筐体を形成し、下部カバー４と下部ケース１２が携帯電話機１の下部筐体を形成する。
【００１０】
携帯電話機１の上部筐体には、表示器を含む各種電気部品を取り付けるための上部筐体回路基板６が内蔵され、回路基板６の裏面側（説明の便宜上、図２に示された側の面を裏面という）は上部カバー１１により保護されている。下部筐体には、キー操作部を含む各種電気部品を取り付けるための下部筐体回路基板７が内蔵され、回路基板７の裏面側（便宜上、図２に示された側の面を裏面という）は下部カバー４により保護されている。
【００１１】
ヒンジ部３は上部ケース２と一体的に形成され、ヒンジ部５は下部カバー４と一体的に形成されている。また、上部カバー１１と下部ケース１２にもそれぞれヒンジ部が一体的に形成されており、上部カバー１１が下部ケース１２に対し回動可能に構成されている。従って、これらのヒンジ部により、上部筐体と下部筐体とが互いに回動可能に構成されている。
【００１２】
フレキシブル配線板８は、上部筐体回路基板６と下部筐体回路基板７を互いに電気的に接続して、ヒンジ部５を中心にして上部筐体回路基板６と下部筐体回路基板７とにまたがって延びている。フレキシブル配線板８は、可撓性部材から構成されており、上下筐体間のヒンジ部内の小さなスペースに収納するために、フレキシブル配線板８の中央部は、少なくとも一回以上巻かれた状態で配置されており、ヒンジ部５内に内蔵される。
【００１３】
下部筐体回路基板７のヒンジ部５に隣接した端部の、ヒンジ部の軸方向において略中央位置に、アンテナ給電部９が設けられている。アンテナ１０は、下部筐体のヒンジ部５に隣接した端部に内蔵される。アンテナ１０は、例えば、板金で構成され、十分なアンテナ利得が得られるように所定の形状に形成されている。このアンテナ１０から延びている給電端子及びグラウンド端子が、アンテナ給電部９に接触するように、アンテナ１０は、下部ケース１２における、フレキシブル配線板８と隣接した位置に配置されている。アンテナ１０は、下部筐体回路基板７のアンテナ給電部９から給電端子を介して供給される動作電流により動作して、送受信用アンテナとして機能する。
【特許文献１】特開２００３−８３２９号公報（第４−６頁、図１）
【発明の開示】
【発明が解決しようとする課題】
【００１４】
ところで、最近の携帯電話機における多機能化の進展に伴い、上部筐体の表示器はできるだけ大きい方が望ましく、下部筐体のキー操作部は操作性の観点からあまり小さくできないという制約がある。また、この種の折り畳み式の携帯電話機では、上部筐体と下部筐体を、ヒンジ部を中心として閉じた状態において、上部筐体と下部筐体が互いに重なりあうため、全体としてその厚さが厚くなり、ポケットなどに入れたときにかさ張りがちであるため、携帯電話機の薄型化が望まれている。
【００１５】
一方、携帯電話機の多機能化や、大きなサイズの表示器の採用により、上下筐体に設ける各回路基板における信号配線等の配線数は増大する傾向にある。従って、上下筐体の回路基板間を接続するために設けられるフレキシブル配線板に収容する信号配線等の配線数も増大する傾向にある。
【００１６】
この増大する回路基板の配線数を確保することは折り畳み式の携帯電話機の薄型化を妨げることになる。すなわち、薄型化の要求を満足させるためには、上下筐体の回路基板の内部空間に確保できるフレキシブル配線板の幅をあまり大きくできないという制約がある。また、多数の信号配線を収容するために、やむを得ない場合、複数のフレキシブル配線板を重ねて上下筐体内部の空間に設けなければならないため、携帯電話機の薄型化が困難になるという課題がある。
【００１７】
図３及び図４は、折り畳んだ状態における従来の携帯電話機の表面側及び裏面側の構成を示す図である。図５は、図４の携帯電話機において下部ケースを取り除いたときの概略構成を示す図である。
【００１８】
図３に示すように、従来の携帯電話機１において、フレキシブル配線板８中央部の巻回箇所を上下筐体間のヒンジ部内の小さなスペースに収納するために、ヒンジ部軸方向におけるフレキシブル配線板８の幅（図３の矢印Ｂ１で示す幅）をあまり大きくとることはできないという制約があった。また、フレキシブル配線板８は、下部筐体回路基板７のアンテナ給電部９と干渉しないように配置する必要があった。
【００１９】
図４に示すように、アンテナ１０から延びている給電端子１３及びグラウンド端子１４が、下部筐体回路基板７のアンテナ給電部９と接触するように、アンテナ１０は、下部ケース１２における、フレキシブル配線板８と隣接した位置に配置されている。
【００２０】
図５に示すように、下部筐体回路基板７には、キー操作部の電気部品の他、スピーカ１５等の、動作時にアンテナ特性に影響を与える電気部品も取り付けられている。銅、アルミニウム等の金属片で構成されるアンテナ１０の形状は、下部筐体回路基板７上の電気部品によるアンテナ１０の特性に与えられる影響をできるだけ小さくして、十分なアンテナ利得が得られるように、構成される必要がある。また、アンテナ１０の特性を考慮して、下部筐体回路基板７におけるアンテナ給電部９の配置を決める必要がある。
【００２１】
上述のように、近年、携帯電話機に搭載される回路基板の配線数は増大する傾向にあり、フレキシブル配線板８の配線数も増大する傾向にある。しかしながら、一方では携帯電話機の薄型化に対する要求もある。従来の折り畳み式の携帯電話機においては、薄型化の要求を満足させるために、上下筐体の回路基板の内部空間に確保できるフレキシブル配線板の幅を大きくとることが困難であるという課題があった。
【００２２】
本発明は、このような課題に鑑みてなされたものであり、折り畳み式の無線通信装置において、回路基板の配線数の増大に対応できるよう、上下筐体の回路基板間に設けるフレキシブル配線板の幅を広くでき、かつ、薄型化を図ることが可能なアンテナ構造を提供することを目的とする。
【課題を解決するための手段】
【００２３】
上記課題を解決するため、本発明の無線通信装置は、ヒンジ部により互いに回動可能に結合される上部筐体及び下部筐体と、前記上部筐体内に収容され、第１の電気部品を搭載する第１の回路基板と、前記下部筐体内に収容され、第２の電気部品を搭載する第２の回路基板と、前記第１の回路基板と前記第２の回路基板を互いに電気的に接続する接続部と、前記下部筐体に内蔵されるアンテナとを備える無線通信装置であって、前記第２の回路基板から前記アンテナに動作電流を供給するためのアンテナ給電部を、前記第２の回路基板の前記ヒンジ部側の端部における中央位置より、前記ヒンジ部軸方向に沿って前記接続部に対し離れた位置に設け、かつ、前記アンテナの給電端子とグラウンド端子を、前記アンテナの基部より前記軸方向に延伸させることにより前記アンテナ給電部と接触させて配設することを特徴とする。
【発明の効果】
【００２４】
本発明による無線通信装置のアンテナ構造によれば、アンテナ給電部をヒンジ部の中央位置からずらして配置することで、上下筐体の回路基板間に設ける、フレキシブル配線板等の接続部の幅を広くすることができるため、回路基板の配線数の増大にも対応することができ、無線通信装置の薄型化を図ることが可能である。また、フレキシブル配線板の枚数を削減でき、無線通信装置の耐久性を向上できる。
【発明を実施するための最良の形態】
【００２５】
以下、本発明の実施の形態について図面に基づいて詳細に説明する。
【００２６】
本発明の無線通信装置は、携帯電話機や、通信カードを内蔵あるいはオプション品として挿抜可能な通信カードが取り付けられたＰＤＡ等の携帯電子装置を含むものとする。
【００２７】
図９及び図１０は、本発明の実施態様における携帯電話機の表面側及び裏面側の概略構成をそれぞれ示す分解斜視図である。
【００２８】
図９及び図１０に示すように、本実施態様の携帯電話機２０は、表面に液晶表示器などの表示器を取り付けるための上部ケース２２及び上部カバー３１と、表面にテンキー、各種機能キーなどを含むキー操作部を取り付けるための下部カバー２４及び下部ケース３２と、上部ケース２２と下部カバー２４を互いに回動可能に枢着するヒンジ部２３及びヒンジ部２５とを備えている。
【００２９】
この携帯電話機２０を組み立てることにより、上部ケース２２と上部カバー３１は携帯電話機２０の上部筐体を形成し、下部カバー２４と下部ケース３２は携帯電話機２０の下部筐体を形成する。
【００３０】
携帯電話機２０の上部筐体には、表示器を含む各種電気部品を取り付けるための上部筐体回路基板２６が内蔵され、回路基板２６の裏面側（便宜上、図１０に示された側の面を裏面という）は上部カバー３１により保護されている。下部筐体には、キー操作部を含む各種電気部品を取り付けるための下部筐体回路基板２７が内蔵され、回路基板２７の裏面側（便宜上、図１０に示された側の面を裏面という）は下部ケース３２により保護されている。
【００３１】
ヒンジ部２３は、上部ケース２２と一体的に形成され、ヒンジ部２５は下部カバー２４と一体的に形成されている。また、上部カバー３１と下部ケース３２にもそれぞれヒンジ部が一体的に形成されており、上部カバー３１が下部ケース３２に対し回動可能に構成されている。従って、これらのヒンジ部により、上部筐体と下部筐体とが互いに回動可能に構成されている。
【００３２】
接続部２８は、上部筐体回路基板２６と下部筐体回路基板２７を互いに電気的に接続して、ヒンジ部２５を中心にして上部筐体回路基板２６と下部筐体回路基板２７とにまたがって延びている。接続部２８は、導電性の可撓性部材から構成することができる。
【００３３】
接続部２８は、例えば、フレキシブル配線板を用いて構成され、フレキシブル配線板の中央部の巻回箇所を中心にして、上部筐体回路基板２６の裏面から下部筐体回路基板２７の表面へまたがって配設される。また、この場合、上下筐体間のヒンジ部内の小さなスペースに収納するために、フレキシブル配線板２８の中央部は、少なくとも一回以上巻かれた状態で配置され、この中央部のフレキシブル配線板２８の巻回箇所はヒンジ部２５内に内蔵される。
【００３４】
次に、図３乃至図５に示した従来の携帯電話機の構成と比較しながら、本実施形態の携帯電話機２０の構成について説明する。
【００３５】
図６は、折り畳んだ状態における本発明の実施態様における携帯電話機表面側の構成を示す図である。図７は、折り畳んだ状態における本発明の実施態様における携帯電話機裏面側の構成を示す図である。図８は、図７の携帯電話機において下部ケースを取り除いたときの概略構成を示す図である。
【００３６】
図８に示すように、下部筐体回路基板２７には、キー操作部の電気部品の他、スピーカ３５等の、動作時にアンテナ特性に影響を与える電気部品も取り付けられている。アンテナ３０は、一般に、銅、真鍮、アルミニウム等の金属片（良導電体）を基材として防錆処理がなされたもので構成される。アンテナ３０の形状は、下部筐体回路基板２７上の電気部品によるアンテナ３０の特性への影響をできるだけ小さくして、十分なアンテナ利得が得られるように形成される。このようなアンテナ３０の特性を考慮して、下部筐体回路基板２７におけるアンテナ給電部２９を設ける位置が決められる。
【００３７】
図５の従来例における、下部筐体回路基板１２の端部の、ヒンジ部軸方向の中央位置に設けられたアンテナ給電部９と異なり、図８の下部筐体回路基板２７におけるアンテナ給電部２９は、下部筐体回路基板２７のヒンジ部２５側の端部における中央位置より、ヒンジ部２５軸方向に沿って接続部２８に対しある程度離れた位置に設けてある。
【００３８】
本実施形態の携帯電話機２０では、下部筐体回路基板２７におけるアンテナ給電部２９の位置は、接続部２８の中央部の巻回箇所から回路基板２７上へ延びている配線部分と、アンテナ３０が干渉しないで済み、かつ、アンテナ３０から延びている給電端子３３及びグラウンド端子３４と接触させる位置が、スピーカ３５等の、動作時にアンテナ特性に影響を与える電気部品から、ある程度離間した位置となるように選定される。
【００３９】
図６に示すように、本実施形態の携帯電話機２０においては、下部筐体回路基板２７のアンテナ給電部２９をヒンジ部２５の中央位置からずらして配置することにより、接続部２８のヒンジ部軸方向の幅（図６の矢印Ｂ２で示す幅）を、従来に比べ大きく設定できる。このため、携帯電話機２０の多機能化を実現するため、上下筐体の回路基板２６及び２７の信号配線等の配線数の増加に対応できる。
【００４０】
図７に示すように、アンテナ３０の基部からヒンジ部２５の軸方向に沿って延びている給電端子３３及びグラウンド端子３４と、下部筐体回路基板２７のアンテナ給電部２９とを接触させる位置もヒンジ部の中央位置からずらして配置することにより、接続部２８の中央部の巻回箇所を上下筐体間のヒンジ部内の小さなスペースに収納することが可能である。また、接続部２８を、下部筐体回路基板２７のアンテナ給電部２９と干渉しないように配置することが可能である。
【００４１】
さらに、図７に示すように、アンテナ３０から延びている給電端子１３及びグラウンド端子１４が、接触するように、アンテナ３０は、下部ケース３２における、接続部２８と隣接した位置に配置されている。
【００４２】
この実施形態の携帯電話機２０において、アンテナ給電部２９は、下部筐体回路基板２７のヒンジ部２５に隣接した端部における略中央位置より、ヒンジ部２５の軸方向に沿って接続部２８に対し離れた位置に設けられている（図６参照）。
【００４３】
アンテナ３０は、下部筐体内のヒンジ部２５に隣接した、下部筐体回路基板２７の端部に内蔵される。アンテナ３０は、下部筐体回路基板２７のアンテナ給電部２９から給電端子３３を介して供給される動作電流により動作して、送受信用アンテナとして機能する。
【００４４】
アンテナ３０は、例えば、銅、真鍮、アルミニウム等の金属片（良導電体）を基材として防錆処理がなされたもので構成される。動作時に高周波がアンテナ３０の表面を流れるため、できれば、金属片の表面は、銀メッキのような、なるべく導電抵抗の小さい金属層が形成されたものが望ましい。
【００４５】
また、十分なアンテナ利得が得られるように、アンテナ３０は、上記金属片を用いて所定の形状に形成されている（図７参照）。本実施形態においては、アンテナ３０は、図７に示すように、ヒンジ部２５の軸方向に垂直な下部筐体の中心線に関し左右非対称に形成される。例えば、本実施形態におけるアンテナ３０は、複列のＬ字状の基部と、前記基部から上方に連続する、アンテナ給電部２９裏面の給電点と接触させる給電端子３３及びグラウンド端子３４と、前記基部の左側方向（図７に示された裏面において左側方向）に延びる第１の腕部と、前記基部の右側方向（図７に示された裏面に右側方向）に延びる第２の腕部とから構成される。第１の腕部は、前記基部と略同じ高さ位置に形成され、ヒンジ部２５の軸方向に直交する方向に延びる直線部分を有し、第２の腕部は、前記基部より低い高さ位置に形成され、ヒンジ部２５の軸方向に平行な方向に延びる直線部分を有する。
【００４６】
ただし、アンテナ３０の形状は、上記図７の形状のみに限定されるものではなく、様々に変更することは可能であるが、下部筐体回路基板２７上の電気部品との位置関係、アンテナ給電部２９との位置関係、及びアンテナの送受信特性を低下させない位置などの諸条件を満足させることが望ましい。
【００４７】
この実施形態の携帯電話機２０においては、アンテナ３０の基部からヒンジ部２５の軸方向に沿って延びる給電端子３３とグラウンド端子３４が、アンテナ給電部２９の裏面に接触するように、アンテナ３０の基部は、下部筐体回路基板２７の裏面における、接続部２８と反対方向にずらした位置へ移動して配設されている。すなわち、アンテナ３０の基部は、下部筐体の中心線に関し、接続部２８と反対方向にずらして配置される。
【００４８】
アンテナ給電部２９は、下部筐体回路基板２７のヒンジ部２５に隣接した端部における略中央位置より、ヒンジ部２５の軸方向に沿って接続部２８に対し離れた位置に設けられ、かつ、アンテナ３０の給電端子３３とグラウンド端子３４は、上記ずらした位置のアンテナ３０の基部からヒンジ部２５の軸方向に沿って延伸され、アンテナ給電部２８の裏面と接触するように配設される。
【００４９】
従って、上下筐体の回路基板間に設けるフレキシブル配線板のヒンジ部軸方向に沿った幅を、従来例の場合より大きくすることが可能であり、回路基板の配線数の増大に対応することができる。本実施形態の携帯電話機２０によれば、フレキシブル配線板の幅を大きくできるため、上下筐体の回路基板の配線数が増大しても、フレキシブル配線板を複数枚重ねて設ける必要がなく、フレキシブル配線板自体の耐久性を向上できる。
【００５０】
また、上記の実施形態では無線通信装置の具体例として、携帯電話機について説明したが、これに限定されるものではなく、本発明のアンテナ構造は、例えば、通信カードを内蔵あるいはオプション品として挿抜可能な通信カードが取り付けられたＰＤＡ等の携帯電子装置や、その他の無線通信装置にも適用することができる。
【００５１】
（付記１）  ヒンジ部により互いに回動可能に結合される上部筐体及び下部筐体と、前記上部筐体内に収容され、第１の電気部品を搭載する第１の回路基板と、前記下部筐体内に収容され、第２の電気部品を搭載する第２の回路基板と、前記第１の回路基板と前記第２の回路基板を互いに電気的に接続する接続部と、前記下部筐体内に内蔵されるアンテナとを備える無線通信装置であって、前記第２の回路基板から前記アンテナに動作電流を供給するためのアンテナ給電部を、前記第２の回路基板の前記ヒンジ部側の端部における中央位置より、前記ヒンジ部軸方向に沿って前記接続部に対し離れた位置に設け、かつ、前記アンテナの給電端子とグラウンド端子を、前記アンテナの基部より前記軸方向に延伸させることにより前記アンテナ給電部と接触させて配設することを特徴とする無線通信装置。
【００５２】
（付記２）  前記アンテナは、良導電性の金属片を用いて構成され、前記ヒンジ部の前記軸方向に垂直な前記下部筐体の中心線に関し左右非対称に形成されることを特徴とする付記１記載の無線通信装置。
【００５３】
（付記３）  前記接続部は、中央部の巻回箇所を中心にして、前記第１の回路基板の裏面から前記第２の回路基板の表面へまたがって配設されるフレキシブル配線板を用いることを特徴とする付記１記載の無線通信装置。
【００５４】
（付記４）  前記第１の回路基板は少なくとも表示器を含む前記第１の電気部品を搭載し、前記第２の回路基板は少なくともキー操作部を含む前記第２の電気部品を搭載することを特徴とする付記１記載の無線通信装置。
【００５５】
（付記５）  前記アンテナの前記基部を、前記下部筐体の中心線に関し、前記接続部と反対方向にずらした位置へ移動して、前記ずらした位置の前記基部から、前記給電端子と前記グラウンド端子とを前記軸方向に延伸させて前記アンテナ給電部と接触させることを特徴とする付記２記載の無線通信装置。
【００５６】
（付記６）  前記アンテナは、前記ヒンジ部近傍の、前記第２の回路基板の前記アンテナ給電部の裏面側に内蔵されることを特徴とする付記１記載の無線通信装置。
【００５７】
（付記７）  前記アンテナは、前記第２の回路基板上に搭載された所定の電気部品から離間して配設されることを特徴とする付記１記載の無線通信装置。
【００５８】
（付記８）  前記アンテナは、前記アンテナ給電部の裏面に接触させた前記給電端子と前記グラウンド端子を介し、前記第２の回路基板に接続されることを特徴とする付記１記載の無線通信装置。
【図面の簡単な説明】
【００５９】
【図１】従来の携帯電話機の表面側の概略構成を示す分解斜視図である。
【図２】従来の携帯電話機の裏面側の概略構成を示す分解斜視図である。
【図３】折り畳んだ状態における従来の携帯電話機表面側の構成を示す図である。
【図４】折り畳んだ状態における従来の携帯電話機裏面側の構成を示す図である。
【図５】図４の携帯電話機において下部ケースを取り除いたときの概略構成を示す図である。
【図６】折り畳んだ状態における本発明の実施態様における携帯電話機表面側の構成を示す図である。
【図７】折り畳んだ状態における本発明の実施態様における携帯電話機裏面側の構成を示す図である。
【図８】図７の携帯電話機において下部ケースを取り除いたときの概略構成を示す図である。
【図９】本発明の実施態様における携帯電話機の表面側の概略構成を示す分解斜視図である。
【図１０】本発明の実施態様における携帯電話機の裏面側の概略構成を示す分解斜視図である。
【符号の説明】
【００６０】
１  従来の携帯電話機
２  上部ケース
３  ヒンジ部
４  下部カバー
５  ヒンジ部
６  上部筐体回路基板
７  下部筐体回路基板
８  フレキシブル配線板
９  アンテナ給電部
１０  アンテナ
１１  上部カバー
１２  下部ケース
２０  携帯電話機
２２  上部ケース
２３  ヒンジ部
２４  下部カバー
２５  ヒンジ部
２６  上部筐体回路基板
２７  下部筐体回路基板
２８  接続部
２９  アンテナ給電部
３０  アンテナ
３１  上部カバー
３２  下部ケース
３３  給電端子
３４  グラウンド端子
３５  スピーカ部
【図１】
2005303542.tif 000003
【図２】
2005303542.tif 000004
【図３】
2005303542.tif 000005
【図４】
2005303542.tif 000006
【図５】
2005303542.tif 000007
【図６】
2005303542.tif 000008
【図７】
2005303542.tif 000009
【図８】
2005303542.tif 000010
【図９】
2005303542.tif 000011
【図１０】
2005303542.tif 000012